(57)【要約】      （修正有）【課題】フープをテーブル等に安定した状態に保持することができ、熟練者でなくてもキルティング作業を容易に行うことができるフープホルダーを提供する。【解決手段】キルト１５を張る内フープ１１の外周に外フープ１２を嵌合してキルトを内フープと外フープとの間に挟み込み、キルトを緊張させるためのフープ１０を保持するフープホルダーであって、フープホルダー本体１６の一端部にテーブル２０等の縁部２０ａに嵌合する第１の嵌合溝２１を設け、他端部にフープの縁部と嵌合する第２の嵌合溝２２を設け、さらに、フープホルダー本体１６の一端部に第１の嵌合溝２１に嵌合されたテーブル２０等の縁部２０ａを挟持固定する締付け固定具としてのねじ軸２５を設けたフープホルダー。【選択図】図２
0003110968.tif 000002
【実用新案登録請求の範囲】
【請求項１】
キルトを張る内フープの外周に外フープを嵌合して前記キルトを内フープと外フープとの間に挟み込み、前記キルトを緊張させるためのフープを保持するフープホルダーであって、
フープホルダー本体の一部に、前記フープの縁部と嵌合する嵌合溝及びテーブル等の縁部に固定して前記フープホルダー本体を支持する固定具を設けたことを特徴とするフープホルダー。
【請求項２】
キルトを張る内フープの外周に外フープを嵌合して前記キルトを内フープと外フープとの間に挟み込み、前記キルトを緊張させるためのフープを保持するフープホルダーであって、
フープホルダー本体と、このフープホルダー本体の一端部に設けられ、テーブル等の縁部に嵌合する第１の嵌合溝と、前記フープホルダー本体の他端部に設けられ、前記フープの縁部と嵌合する第２の嵌合溝と、前記フープホルダー本体に設けられ、前記第１の嵌合溝に嵌合されたテーブル等の縁部を挟持固定する締付け固定具とを具備したことを特徴とするフープホルダー。
【請求項３】
キルトを張る内フープの外周に外フープを嵌合して前記キルトを内フープと外フープとの間に挟み込み、前記キルトを緊張させるためのフープを保持するフープホルダーであって、
基板と、この基板の上下両端部に上下方向に回動自在に設けられた一対の挟持片とからなり、前記基板を挟んで一端側にテーブル等の縁部に嵌合する第１の嵌合部、他端側に前記フープの縁部と嵌合する第２の嵌合部を構成したフープホルダー本体と、
このフープホルダー本体に設けられ、前記一対の挟持片によって構成される前記第１の嵌合部を閉じる方向に弾性的に付勢して前記テーブル等の縁部をクランプ固定する付勢ばねとを具備したことを特徴とするフープホルダー。
【考案の詳細な説明】
【技術分野】
【０００１】
この考案は、キルティング作業に用いるフープをテーブルと作業者の腹部との間に安定した状態に保持するフープホルダーに関する。
【背景技術】
【０００２】
例えば、２枚のキルト（生地）に芯を入れ、キルトの全体を模様風に刺子縫いするキルティング作業は、キルトを平面的に緊張した状態に保持する必要がある。そこで、キルティング作業には、従来からフープを用いている。フープは、直径が２５ｃｍ〜５０ｃｍの木製円環状枠で、内フープと外フープとからなり、外フープは円周の一部に切れ目が設けられ、蝶ねじの締め具合によって径が調節できるようになっている。
【０００３】
そして、フープにキルトを張る場合には、まず、内フープの上部にキルトを載せ、内フープの上方から外フープを嵌合してキルトを内フープと外フープとの間に挟み込み、キルトを緊張させた状態で、蝶ねじを締め付けることにより、キルトをフープに保持している。
【０００４】
キルトをフープに保持した後、キルティング作業を行う際には、作業者の身体の前部でキルトを略水平に保持すると、刺子縫いする際に作業がしやすい。そこで、座卓、コタツあるいは椅子に着座してテーブルを前にして作業する際には、フープの手前側を身体の腹部に押し当て、反対側をテーブル等の縁部に押し当て、テーブルと腹部でフープを挟み込んで略水平に保持して作業している。また、キルティング作業の進行に伴いフープを回して刺子縫いの位置を変えて作業している。
【考案の開示】
【考案が解決しようとする課題】
【０００５】
しかしながら、フープは一般的に木製の円環状体であり、外周面全体が曲率を持っている。一方、テーブルの縁部は長手方向及び幅方向に直線である場合が多く、しかも円弧状に縁取りされている。従って、フープの縁部をテーブルの縁部に押し当てた際に、フープが滑ってテーブルの上面側あるいは下面側に移動してしまったり、フープを略水平状態に安定した状態に保持するには熟練度が要求される。
【０００６】
この考案は、前記事情に着目してなされたもので、フープを用いてキルティング作業する際に、フープを安定した状態に保持することができ、熟練者でなくてもキルティング作業を容易に行うことができ、しかも廉価なフープホルダーを提供することを目的とする。
【課題を解決するための手段】
【０００７】
この考案は、前述した目的を達成するために、請求項１は、キルトを張る内フープの外周に外フープを嵌合して前記キルトを内フープと外フープとの間に挟み込み、前記キルトを緊張させるためのフープを保持するフープホルダーであって、フープホルダー本体の一部に、前記フープの縁部と嵌合する嵌合溝及びテーブル等の縁部に固定して前記フープホルダー本体を支持する固定具を設けたことを特徴とする。
【０００８】
請求項２は、キルトを張る内フープの外周に外フープを嵌合して前記キルトを内フープと外フープとの間に挟み込み、前記キルトを緊張させるためのフープを保持するフープホルダーであって、フープホルダー本体と、このフープホルダー本体の一端部に設けられ、テーブル等の縁部に嵌合する第１の嵌合溝と、前記フープホルダー本体の他端部に設けられ、前記フープの縁部と嵌合する第２の嵌合溝と、前記フープホルダー本体に設けられ、前記第１の嵌合溝に嵌合されたテーブル等の縁部を挟持固定する締付け固定具とを具備したことを特徴とする。
【０００９】
請求項３は、キルトを張る内フープの外周に外フープを嵌合して前記キルトを内フープと外フープとの間に挟み込み、前記キルトを緊張させるためのフープを保持するフープホルダーであって、基板と、この基板の上下両端部に上下方向に回動自在に設けられた一対の挟持片とからなり、前記基板を挟んで一端側にテーブル等の縁部に嵌合する第１の嵌合部、他端側に前記フープの縁部と嵌合する第２の嵌合部を構成したフープホルダー本体と、このフープホルダー本体に設けられ、前記一対の挟持片によって構成される前記第１の嵌合部を閉じる方向に弾性的に付勢して前記テーブル等の縁部をクランプ固定する付勢ばねとを具備したことを特徴とする。
【００１０】
前記構成によれば、フープの手前側を身体の腹部に押し当て、反対側をテーブル等の縁部に押し当てるが、この際、フープホルダー本体の一部をテーブルの縁部に固定する。そして、腹部でフープをテーブルの縁部方向に軽く押圧すると、フープはフープホルダー本体と身体の腹部との間で挟み込まれて略水平に保持される。
【考案の効果】
【００１１】
この考案は、フープホルダーを用いることにより、フープを用いてキルティング作業する際に、フープをテーブル等に安定した状態に保持することができ、熟練者でなくてもキルティング作業を容易に行うことができ、しかも構造的に簡単であるため、廉価に提供することができるという効果がある。
【考案を実施するための最良の形態】
【００１２】
以下、この考案の実施の形態を図面に基づいて説明する。
【００１３】
図１〜図３はフープホルダーの第１の実施形態を示し、図１はフープ及びフープホルダーの斜視図、図２はフープホルダーの使用状態の縦断側面図、図３はフープホルダーの使用状態の説明図である。図１〜図３に示すように、フープ１０は、例えば、直径が４０〜５０ｃｍの木製円環状枠で、内フープ１１と外フープ１２とからなり、外フープ１２は円周の一部に切れ目１３が設けられ、蝶ねじ１４の締め具合によって径が調節できるようになっている。
【００１４】
そして、フープ１０にキルト１５を張る場合には、まず、内フープ１１の上部に刺子縫いしようとするキルト１５を載せ、内フープ１１の上方から外フープ１２を嵌合してキルト１５を内フープ１１と外フープ１２との間に挟み込む。次に、キルト１５を緊張させた状態で、蝶ねじ１４を締め付けることにより、キルト１５をフープ１０に保持する。
【００１５】
フープホルダー本体１６は、例えば木製あるいは合成樹脂製であり、矩形状の縦方向の基板１７と、この基板１７の上下両端部に横方向に固定された矩形状の上部板１８、下部板１９とからなり、側面視で略Ｈ形をなし、角部はＲ面取りされている。そして、フープホルダー本体１６の一端部には基板１７、上部板１８及び下部板１９で囲まれる略コ字状で、テーブル２０の縁部２０ａに嵌合する第１の嵌合溝２１が横方向に貫通して設けられている。ここで言うテーブル２０とは座卓、コタツの天板、ダイニングテーブル、机の天板等であり、作業台を含むものであり、第１の嵌合溝２１はこれらのテーブル類の縁部に嵌合されるように３〜４ｃｍで、その深さは２ｃｍ前後である。
【００１６】
また、フープホルダー本体１６の他端部には基板１７、上部板１８及び下部板１９で囲まれる略コ字状で、前記フープ１０の縁部に嵌合する第２の嵌合溝２２が横方向に貫通して設けられている。第２の嵌合溝２２の高さ寸法はフープ１０の高さ寸法が３ｃｍであるとすると、上下に例えば５ｍｍ程度の隙間ができるように、例えば略４ｃｍに形成され、深さは例えば２ｃｍ〜３ｃｍに形成されている。従って、テーブル２０と椅子の高さ関係でフープ１０が前下がりあるいは後下がりに傾いてもフープ１０が第２の嵌合溝２２から外れることはなく、フープ１０を作業者の好みの傾き角度に傾斜して作業することもできる。
【００１７】
さらに、第１の嵌合溝２１を構成する上部板１８の内面には金属板２３が設けられ、この金属板２３には上部板１８を上下方向に貫通して第１の嵌合溝２１内に臨むねじ穴２４が穿設されている。ねじ穴２４には締付け固定具を構成するねじ軸２５が螺合されている。ねじ軸２５の上端部は上部板１８の上部に突出する摘み２６が設けられ、ねじ軸２５の下端部は上部板１８の下部に突出する押え具２７が設けられている。押え具２７の下面及び下部板１９の上面には緩衝材としてのラバー２８ａ，２８ｂが貼り付けられている。
【００１８】
そして、第１の嵌合溝２１とテーブル２０の縁部２０ａとを嵌合させ、摘み２６を回してねじ軸２５をねじ穴２４に螺合すると、押え具２７が下降して押え具２７と下部板１９との間でテーブル２０の縁部２０ａを締付けることができる。従って、フープホルダー本体１６をテーブル２０の固定でき、同時にラバー２８ａ，２８ｂによる緩衝作用によって滑ることなく安定した状態に保持でき、しかもテーブル２０の縁部２０ａに傷を付ける心配がない。
【００１９】
なお、第２の嵌合溝２２の内面における背面にも緩衝材としてのラバーを貼り付けてもよい。ラバーを貼り付けると、第２の嵌合溝２２とフープ１０とを嵌合させたときに、ラバーによる緩衝作用によってフープ１０が上下方向及び回転方向に滑ることなく安定した状態に保持できる。
【００２０】
前述のように構成されたフープホルダーを用いてキルティング作業を行う際には、図３に示すように、テーブル２０を前にして作業する。フープ１０の手前側を身体２９の腹部に押し当て、反対側をテーブル２０の縁部２０ａに押し当てるが、この際、フープホルダー本体１６の第１の嵌合溝２１をテーブル２０の縁部２０ａに嵌合した上で、押え具２７と下部板１９との間でテーブル２０の縁部２０ａを締付けることができる。また、第２の嵌合溝２２にフープ１０の縁部を嵌合し、腹部でフープ１０をテーブル２０の縁部２０ａ方向に軽く押圧すると、フープ１０はフープホルダー本体１６と身体２９の腹部との間で挟み込んで略水平に保持される。
【００２１】
この状態で、作業者は、フープ１０に緊張された状態に保持されたキルト１５に対して刺子縫いしてキルティング作業を行うことができる。この場合、身体２９の姿勢が多少動いても、フープ１０をフープホルダー本体１６によって安定した状態に保持しているため、フープ１０が移動することはなく、作業性の向上を図ることができる。また、キルティング作業の進行に伴いフープ１０を回して刺子縫いの位置を変えて作業する場合においても、フープ１０の一部がフープホルダー本体１６の第２の嵌合溝２２に嵌合されている。従って、第２の嵌合溝２２に沿ってフープ１０を円周方向に回すことができ、この際に、フープ１０が滑ってテーブル１７の上面側あるいは下面側に移動してしまうことはなく、フープ１０を略水平状態に保ったままで回すことができ、熟練度が要求されない。
【００２２】
図４はフープホルダーの第２の実施形態を示し、（ａ）はフープホルダーの斜視図、（ｂ）は側面図である。フープホルダー本体３０は、矩形状をなす縦方向の基板３１の上下両端部には枢支ピン３２のよって矩形状をなす横方向の一対の挟持片３３，３４が上下方向に回動自在に枢支されている。そして、基板３１を挟んで一端側にはテーブル２０等の縁部２０ａに嵌合する第１の嵌合部３５が、他端側にはフープ１０の縁部１０ａと嵌合する第２の嵌合部３６が設けられている。
【００２３】
さらに、フープホルダー本体３０の第２の嵌合部３６には板ばねからなるＵ字状の付勢ばね３７が収納され、一対の挟持片３３，３４によって構成される第１の嵌合部３５を閉じる方向に弾性的に付勢している。従って、一対の挟持片３３，３４を手指等によって矢印Ａ方向に押すと、第１の嵌合部３５が矢印Ｂ方向に開くため、第１の嵌合部３５をテーブル２０等の縁部２０ａに嵌合する。そして、一対の挟持片３３，３４の矢印Ａ方向の押圧力を解除すると、付勢ばね３７の付勢力によって第１の嵌合部３５が閉じ、テーブル２０等の縁部２０ａを挟持する。フープホルダー本体３０をテーブル２０等から取り外すときは、一対の挟持片３３，３４を手指等によって矢印Ａ方向に押し、第１の嵌合部３５を矢印Ｂ方向に開く。そして、第１の嵌合部３５をテーブル２０等の縁部２０ａから抜き取ることにより、フープホルダー本体３０をテーブル２０等から取り外すことができる。従って、フープホルダー本体３０をテーブル２０等にワンタッチで着脱できる。
【００２４】
なお、この考案は、前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を適宜組合わせてもよい。
【図面の簡単な説明】
【００２５】
【図１】この考案の第１の実施形態のフープ及びフープホルダーの斜視図。
【図２】同実施形態のフープホルダーの使用状態の縦断側面図。
【図３】同実施形態のフープホルダーの使用状態の説明図。
【図４】この考案の第２の実施形態を示し、（ａ）はフープホルダーの斜視図、（ｂ）は側面図。
【符号の説明】
【００２６】
１０…フープ、１１…内フープ、１２…外フープ、１５…キルト、１６…フープホルダー本体、２１…第１の嵌合溝、２２…第２の嵌合溝、２５…ねじ軸（）
【図１】
0003110968.tif 000003
【図２】
0003110968.tif 000004
【図３】
0003110968.tif 000005
【図４】
0003110968.tif 000006